(57)【特許請求の範囲】
【請求項１】
コンテンツのＤＶＤマスタリングの後に作られたダウンロード後の部分的に符号化された媒体コンテンツを記憶する記憶媒体、
前記部分的に符号化された媒体コンテンツを変調し、完全に符号化された媒体コンテンツを生成する手段、
復号化された媒体コンテンツの後続の視聴を可能にするため、前記記憶媒体に記憶するために前記完全に符号化された媒体コンテンツを復号化する復号化器、及び
前記記憶媒体に記憶された前記完全に符号化された媒体コンテンツを記録可能媒体に記録するデバイス、
を有する装置。
【請求項２】
請求項１に記載の装置であって、前記復号化器は、ハードディスクドライブを前記記憶媒体として有するセットトップボックス内にある、装置。
【請求項３】
請求項２に記載の装置であって、前記記録するデバイスは、前記セットトップボックス内のディジタルディスクレコーダである、装置。
【請求項４】
請求項１に記載の装置であって、前記媒体コンテンツの前記視聴は、前記媒体コンテンツの購入時に、前記完全に符号化された媒体コンテンツを記録するオプションによって、前記完全に符号化された媒体コンテンツの前記記憶媒体からの再生及び前記完全に符号化された媒体コンテンツの後続の復号化により生じる、装置。
【請求項５】
請求項１に記載の装置であって、前記符号化された媒体コンテンツにおけるビデオ及びオーディオの再生を可能にするため、前記完全に符号化された媒体コンテンツの後続の復号化のために前記完全に符号化された媒体コンテンツを前記復号化器にストリーミングし、ＤＶＤの形式で前記記録可能媒体に記録するために、前記デバイスに対して前記完全に符号化された媒体コンテンツをストリーミングする、装置。
【請求項６】
コンテンツのＤＶＤマスタリングの後に作られたダウンロード後の部分的に符号化された媒体コンテンツを記憶するステップ、
符号化された媒体コンテンツの記録可能媒体への記録を可能にするように記憶するため、前記部分的に符号化された媒体コンテンツを変調し、完全に符号化された媒体コンテンツを生成するステップ、及び
前記媒体コンテンツの視聴レンタルのために、前記記憶された完全に符号化された媒体コンテンツを復号化するステップ、
を有する方法。
【請求項７】
請求項６に記載の方法であって、前記記憶するステップ及び復号化するステップは、ハードディスクドライブを記憶媒体として有するセットトップボックスにより実行される、方法。
【請求項８】
請求項６に記載の方法であって、前記符号化された媒体コンテンツの前記記録は、ＤＶＤディジタルビデオディスクレコーダで行われる、方法。
【請求項９】
請求項６に記載の方法であって、前記復号化された媒体コンテンツの前記視聴は、前記完全に符号化された媒体コンテンツを記録可能媒体に記録するオプションによって、記憶媒体からの前記復号化された媒体コンテンツの再生により生じる、方法。
【請求項１０】
請求項６に記載の方法であって、前記ダウンロード後の部分的に符号化された媒体コンテンツは１つ又はそれ以上の符号化の形式を有する、方法。
【請求項１１】
請求項１０に記載の方法であって、前記１つ又はそれ以上の符号化の形式は、記録可能媒体についてのコンテンツスクランブルシステム及びコピー保護のうち１つである、方法。
【請求項１２】
請求項６に記載の方法であって、前記復号化された媒体コンテンツの前記視聴は、復号化器が前記媒体コンテンツにおいてビデオ及びオーディオの出力及び再生のために復号化する完全に符号化された媒体コンテンツを生成するための後続の変調のため、復号化器に対する前記部分的に符号化された媒体コンテンツのストリーミングを有する、方法。
【請求項１３】
請求項６に記載の方法であって、前記完全に符号化された媒体コンテンツはＤＶＤデータを有し、前記復号化ステップはＤＶＤ復号化を有する、方法。
【請求項１４】
請求項６に記載の方法であって、記録可能媒体への前記完全に符号化された媒体コンテンツの前記記録は、ＤＶＤ装置に対する符号化されたＤＶＤデータとしての前記完全に符号化された媒体コンテンツのストリーミングを有する、方法。
【請求項１５】
請求項１４に記載の方法であって、記録可能媒体への前記完全に符号化された媒体コンテンツの前記記録は、前記完全に符号化されたＤＶＤデータの購入後に可能である、方法。
【発明の詳細な説明】
【技術分野】
【０００１】
本発明は、一般に、媒体コンテンツのダウンロードに関し、特に、完全なＤＶＤ（Ｄｉｇｉｔａｌ  Ｖｅｒｓａｔｉｌｅ  Ｄｉｓｃ）機能による、メディアコンテンツのダウンロード、貸し出し及び再生に関する。
【背景技術】
【０００２】
従来のＤＶＤのダウンロード及びバーニングは、ＤＶＤコンテンツの電子レンタルについて教示しない。ダウンロードされたコンテンツをバーニングする既知の教示は、コンテンツのダウンロードに先行するデータをプリエンコードすることを検討していない。それ故、それらのダウンロードされるファイルは、ハードディスクからのエミュレーションにより直接、再生することはできない。標準のＤＶＤ回路が、ＤＶＤコンテンツを復号化及び再生又は記録することが可能である形式でダウンロードされたデータを有することに先行して、ダウンロードされたデータのバーニングする他の従来の方法は、次の機能、即ち、トランスコーディング、オーサリング、ファイル操作、ＣＳＳ暗号化及びＤＶＤフォーマット化（エラー検出／補正符号化、スクランブリング及び８−１６変調）の一部又は全てを実行する。従来技術は、予め、部分で又は全部で、及びダウンローディングに先行して、符号化及び符号化処理を実行することについて教示していず、それ故、ＤＶＤコンテンツは、直接、再生される、又は記録可能媒体に記録されることが可能である。ユーザのセットトップボックスのハードウェア又はソフトウェアが必要とする変換処理又は符号化処理を削除することにより、セットトップボックスのメーカーのための高コストパフォーマンス及び消費者のための時間の節約が達成される。従って、ダウンロードされたコンテンツは、標準的な複製ＤＶＤが、標準的な複製ＤＶＤがＣＳＳ許可設備において保護されているＣＳＳコピーであるように、ＣＳＳコピー保護ができる。
【０００３】
従って、ＤＶＤのような光ディスクからの直接の再生コンテンツのみにより、通常、もたらされる方式で、エンターテインメントコンテンツを電子的ダウンロード、レンタル及び再生する必要がある。ＤＶＤにおいて利用可能である付加価値コンテンツ及びインタラクティブコンテンツの全てを有する完全なＤＶＤ機能を可能にするＨＤＤからの、ＤＶＤに含まれるデータの電子バージョンのランダムアクセスを有する必要がある。ＤＶＤのレンタルは、小売施設に行く必要がなく、家庭から直接、実行することができる必要がある。市場における既存の解決方法又は有効になりつつある解決方法に比べて、ＤＶＤコンテンツの電子レンタルのために改善されたオプションが必要である。
【発明の開示】
【課題を解決するための手段】
【０００４】
本発明の方法は、ダウンロードされた符号化媒体コンテンツを記憶する段階と、復号化された媒体コンテンツの観賞用レンタルの１つについて、記憶されている符号化媒体コンテンツを復号化して、記録可能媒体に符号化媒体コンテンツを記録する段階と、を有する。
【０００５】
本発明の装置は、ダウンロードされた符号化媒体コンテンツを記憶する記憶媒体と、復号化された媒体コンテンツの観賞用レンタルの１つについて、記憶されている符号化媒体コンテンツを復号化して、記録可能媒体に符号化媒体コンテンツを記録する復号化器と、を有する。
【０００６】
本発明の有利点、性質及び種々の付加的特徴については、以下、添付図に関連付けて詳述する実施形態について十分に検討する際に、明らかになる。
【０００７】
添付図は本発明の概念を例示する目的のためであり、必ずしも本発明を示す有効な構成のみではないことを理解する必要がある。
【発明を実施するための最良の形態】
【０００８】
以下、図を具体的に且つ詳細に参照するに、図の同様の参照番号は、複数の図を通して、類似する要素又は同様の要素を示している。模式図である図１の参照番号１０は、本発明に従った電子ＤＶＤレンタルの例示としての実施形態である。図２の参照番号２０は、本発明に従ったＶＤｏＤ（Ｖｉｒｔｕａｌ  Ｖｉｄｅｏ  ｏｎ  Ｄｅｍａｎｄ）のブロック図である。図に示されている要素は、ハードウェア、ソフトウェア又はそれらの組み合わせの種々の形式で実行されることを、更に理解する必要がある。好適には、それらの要素は、プロセッサ、メモリ及び入力／出力インタフェースを有することが可能である１つ又はそれ以上の適切にプログラムされた汎用装置におけるハードウェア及びソフトウェアの組み合わせとして実行されることが可能である。
【０００９】
本発明は、標準ＤＶＤ復号化回路２６を用いて、ローカルＨＤＤからの後続の直接再生のために、ケーブルＴＶネットワーク１２、衛星ＴＶネットワーク１１、１７、１８、インターネットのような高速ネットワーク又は他の電気接続９を介して、予め符号化されたＤＶＤディスク画像をローカルハードディスクドライブ（ＨＤＤ）１３、１９にダウンロードすることにより、顧客がＤＶＤの電子バージョンをレンタルする及び再生することを容易にするようにする。例えば、ＤＶＤビデオディスクの再生は、実際のＤＶＤディスクにおいて符号化データを復号化することに代えて、ローカルＨＤＤに記憶されている、ダウンロードされた符号化ＤＶＤデータを復号化することによりエミュレートされる。その技術は、ＶＤｏＤ（Ｖｉｒｔｕａｌ  ＤＶＤ  ｏｎ  Ｄｅｍａｎｄ）又は電子ＤＶＤレンタルと称せられている。ダウンロードされたＶＤｏＤファイルは、標準の複製ＤＶＤビデオディスクに記憶されているものの同じビット毎の表現である。可変評価構造に従って、記録可能ＤＶＤ１４等の記録可能ディスクにコンテンツ１５を購入して、書き込むように、顧客は、いつでも、可変レンタルプランから選択することができ、オプションを得ることができる。レンタル料金は、ＤＶＤのコピーを書き込む権利の購入に全部が又は部分が当てられる。
【００１０】
顧客の経験は、標準のＤＶＤビデオディスクを再生することにより得られるものと同じである。顧客は、標準のＤＶＤプレーヤにおいて再生される標準の複製ＤＶＤビデオディスクの再生により経験することができるような、十分な対話応答性、メニュー、付加、付加価値コンテンツ、言語、サブタイトル及び他のオプションへのアクセスを有する。見え方、特徴及び反応性は、標準の複製ＤＶＤビデオディスクの再生により経験するものと同じであることが可能である。１層又は２層のコンテンツが、再生のためにエミュレートされることが可能である。本発明は、ＨＤ  ＤＶＤ及びブルーレイ等の他の種類の光ディスクに適用することができるが、それに限定されるものではない。
【００１１】
ＤＶＤコンテンツは、申し込んでＤＶＤ１５をレンタルする又は購入する及び書き込むように、ケーブルセットトップボックス１９、衛星セットトップボックス１９又はＰＣにおいて位置付けられている、顧客のハードディスクドライブ１３に記憶させる又は“押し込まれる”ことが可能であり、その場合、顧客は、ＤＶＤの電子バージョンにすぐにアクセスすることができる。逆にいえば、適用可能な電子接続９、１１、１２、１７、１８による供給のためのインタラクティブな注文処理を介して、コンテンツを顧客がダウンロードする又は“引き寄せる”ことができる。一旦、ＤＶＤの電子バージョンが、ローカルハードディスクドライブ記憶装置１３に転送されると、コンテンツは、ハードディスクから直接視聴することができる１６、又はローカルＤＶＤレコーダ１９、４９に書き込まれることができる。
【００１２】
標準のオーサリング及び圧縮２技術は、ＤＶＤマスターファイルを準備するように用いられる。ＤＶＤマスターファイルは、ＤＶＤビデオについてのコンテンツスクランブルシステム規格、即ちＣＳＳ規格に従って、任意に符号化される５。他の複製防止及びリッピング防止が、オーサリング処理に付加されることが可能である。
【００１３】
図１及び２は、コンテンツスクランブルシステム（ＣＳＳ）５と呼ばれるＤＶＤビデオフォーマット規格及び／又は何れかの他の補助コピー防止技術又はリッピング防止技術によりコピー保護されたコンテンツを含むことが可能である全部の又は一部のＤＶＤ符号化ファイルとしてコンテンツがどのように供給されるかの詳細について示している。ＶＤｏＤ（Ｖｉｒｔｕａｌ  Ｖｉｄｅｏ  ｏｎ  Ｄｅｍａｎｄ）ＤＶＤ（Ｄｉｇｉｔａｌ  Ｖｅｒｓａｔｉｌｅ  Ｄｉｓｃ）ファイルは、標準の複製ＤＶＤビデオディスクに記憶されているものの同じビット毎の表現である。そのＤＶＤファイルは、セットトップボックス１９又はＰＣに受信されて、一体型ハードディスクドライブ１３に記憶される。ＤＶＤのレンタルのために、符号化されたＤＶＤデータは、ビデオ及び音響情報の後続の出力及び再生のための標準のＤＶＤ復号化回路にストリーミングされる。ＤＶＤの購入のために、符号化されたＤＶＤデータは、記録可能なＤＶＤ媒体４９に完全に符号化されたＤＶＤコンテンツを直接、ストリーミングすることができる特定のＤＶＤレコーダ４９にストリーミングされる。顧客は、レンタルによる先行した視聴の後に、コンテンツを購入して、記録可能ＤＶＤ媒体に書き込む（“それを試みる→それを書き込む）ように、選択することが可能である１５。
【００１４】
次に、ＣＳＳ暗号化５及び部分的復号化を用いる本発明の実施形態について説明する。この本発明の実施形態は、顧客に対してダウンロードを供給するためのより小さいサイズのパッケージをもたらす部分的符号化、及びＤＶＤコンテンツのために前処理されたＣＳＳコピー保護復号化２１を提供する。
【００１５】
コンテンツの所有者は、圧縮及びオーサリング設備２に転送するＶＤｏＤレンタル処理で用いられるように、ＤＶＤ画像において含まれるようになっている、オーディオ、ビデオ、ナビゲーションフローチャート、グラフィクス及び他の付帯情報１２を作成する。
【００１６】
オーサリング及び圧縮設備２は、オーディオ及びビデオの圧縮を実行する。メニュー、サブタイトル及び他の付帯情報は、ＤＶＤ及び実行される最終的なナビゲーションプログラミングのために構成される。任意のコピー防止又はリッピング防止プログラミングがコンテンツに追加され、最終的なファイルセットが、ＶＤｏＤ処理センタ３への供給のために作成される。
【００１７】
コンテンツは、ＶＤｏＤマスタリングセンタ３で受信される。そのマスタリングセンタは、コンテンツスクランブルシステム（ＣＳＳ）コピー防止符号化を実行するように許可される、ＤＶＤ複製、圧縮及びオーサリング設備、又は他の設備であることが可能である。次のステップが、ＶＤｏＤマスタリングセンタにおいて実行される。
ａ）通常の複製処理と同様に、処理センタは、ＶＤｏＤマスタリングセンタに戻すこと及び暗号化のために、ＤＶＤ  ＣＣＡへの供給についてＣＳＳディスクキー５，２１を選択する。
ｂ）暗号化ディスクキーが、ディスクタイトルキー５，２１を暗号化するように用いられる。コンテンツがタイトルキーにより暗号化された後、タイトルキーは、ディスクキーにより暗号化され、その場合、ディスクキーが暗号化される。（注意：ＣＳＳ又は他の種類の暗号化は任意である。）
ｃ）データは、その場合、セクタに分けられ、その場合、セクタ（５０％以下）は、ＣＳＳスクランブルされ５、ＤＶＤフォーマット化される４。
ｄ）ＤＶＤエラー検出コード（ＥＤＣ）及びエラー補正コード（ＥＣＣ）が、その場合、生成される。
ｅ）通常のＤＶＤ符号化処理は、ここで、８ビットのデータバイトを１６ビットワード又はシンボルに変換される。この処理は、それらの部分的に符号化された及びフォーマットされたＤＶＤファイルがＤＶＤビデオディスクを製造するには、直接有用でないために、データファイルサイズを減少させるように及び付加セキュリティ機能として、このステップにおいては、実行されない。
ｆ）リードイン領域及びリードアウト領域がデータに添付されることが可能である。ビットストリームフォーマット化４は、ＶＤｏＤビットストリームに対して結果として得られる８ビットバイトを作成するように用いられる。ＶＤｏＤビットストリームは、その場合、記憶のためにハードディスクに転送される。
ｇ）ＶＤｏＤビットストリームデータファイルは、その場合、中央パッケージ処理及び分配センタ６に配信する適切な媒体に対してアーカイブされる。
ｈ）ＤＶＤコンテンツフォーマット化処理は、最後の８−１８変調処理２７，２８及びＶＤｏＤビットストリームフォーマット化４処理の任意の削除を除いて、通常のＤＶＤビデオ複製処理で用いられる処理と同様である。
ｉ）任意に、オーディオ及び／ビデオ情報の透かし化又は透かしタギングが、この段階又はオーサリング段階２２に追加されることが可能である。
【００１８】
“ＶＤｏＤビットストリーム”アーカーブデータファイルは、パッケージ生成及びセキュリティ暗号化のために、分配センタに配信される。分配センタは次の機能を実行する。
ａ）顧客への配信のための完全なＶＤｏＤパッケージは、ディスクラベルアートワーク、付帯素材アートワーク７、並びに認証データ及びレンタル制御情報等の他の付帯情報を付加することにより生成される。
ｂ）ＶＤｏＤパッケージは、ＶＤｏＤパッケージライブラリ８サーバシステムに記憶されている適切な暗号化ソフトウェア５により暗号化されたセキュリティであり、適切な媒体にアーカイブされることが可能である。この暗号化は、記録可能媒体のためのコピー保護（ＣＰＲＭ）又は他の適切な暗号化ソフトウェアのためのコピー保護を有することが可能である二次暗号化である。この二次暗号化はＣＳＳ暗号化を含まない。
【００１９】
分配センタは、衛星１１、ケーブル運営者１２又はインターネットプロバイダに対してＶＤｏＤパッケージの在庫及び配信を管理する。ＶＤｏＤパッケージの転送は、電子的に９、又は物理手段により実行されることが可能である。
【００２０】
衛星１１、ケーブル運営者１２又はインターネットプロバイダは、ＶＤｏＤパッケージを受け入れ、それらのＶＤｏＤパッケージがダウンロード配信及びレンタルについて有効であるように、それらをローカルハードディスクドライブＨＤＤ記憶装置にロードする。
ａ）衛星１１、ケーブル運営者１２又はインターネットプロバイダの中央運営センタは、ユーザインタフェース２３、２３′を介して、ＶＤｏＤ  ＤＶＤファイルの顧客のインタラクション及び注文のための手段を提供する。中央処理センタはまた、必要なトランザクション管理サービス２３、２３′及び２４を提供する。
ｂ）顧客のＶＤｏＤの注文を受信するとき、中央処理センタは、関連ＶＤｏＤパッケージを顧客のセットトップボックス１９又はＰＣに電子的に転送する。
ｃ）代替の解決方法として、中央処理センタは、レンタル又は販売及びＤＶＤ１５への書き込みを購入する消費者に対する購入可能性及び市場取引のために、消費者のセットトップボックス１９又はＰＣに選択されたタイトルをそれらがダウンロード配信及びレンタルのために有効であるように、ローカルハードディスクドライブＨＤＤ記憶装置２９を“プッシュする”又はドロップすることが可能である。
【００２１】
ＶＤｏＤコンテンツは、ユーザのセットトップボックス１９に受信され、ファイルのＶＤｏＤパッケージとして装置のローカルＨＤＤ１３に記憶される。
【００２２】
レンタルＤＶＤの再生は、顧客により開始され、次のような処理により行われる。
ｉ）ＶＤｏＤファイル及びアートワークファイルは、適切な復号化アルゴリズム１６を用いて復号化されるセキュリティである。
ｉｉ）最後の符号化処理段階、即ち、８−１６変調２７は、ソフトウェア又はハードウェアの実施により実行される。
ｉｉｉ）ＤＶＤデータは、セットトップボックスのレジデントＤＶＤプレーヤ／レコーダ４９において位置付けられることが可能である標準的なＤＶＤ復号化回路２６へのビットストリームとして供給される。
ｉｖ）ＶＤｏＤパッケージのファイルにおいて記憶されているディスクラベルアートワーク及び付帯素材アートワークは、ディスプレイ又はユーザのテレビ１６において視聴することができる。
ｖ）関連する標準ＤＶＤ復号化回路はまた、ローカルＤＶＤプレーヤ／レコーダ４９から再生されるＤＶＤコンテンツを復号化するために用いられる。
【００２３】
ＤＶＤの購入又はＤＶＤのレンタルの入手及び書き込みは、次の処理により行われる。
ｉ）ＶＤｏＤファイル及びアートワークファイルは、適切な復号化アルゴリズム２６を用いて復号化されるセキュリティである。
ｉｉ）最後の符号化処理ステップ、即ち、８−１６変調２８が、ソフトウェア又ハードウェアの実施により実行される。
ｉｉｉ）ＤＶＤデータは、セットトップボックス１９に常駐している特定のダウンロード可能ＤＶＤ（Ｄ−ＤＶＤ）にビットストリームとして供給される。
ｉｖ）ディスクは、ＶＤｏＤパッケージアートワークファイルにおいて位置付けられているラベルアートワークによりプリントされることが可能である。付加的付帯アートワークはまた、ＶＤｏＤパッケージアートワークファイルからプリントされることが可能である。
ｖ）結果的にもたらされるＤＶＤディスク１４は、セットトップボックスのＤＶＤプレーヤ１９、セットトップＤＶＤプレーヤ等の標準的なＤＶＤ再生装置又はＰＣにおいて位置付けられているＤＶＤプレーヤにおいて、再生されることが可能である。
【００２４】
レンタル又は購入及び書き込みのためのオプションを伴うＶＤｏＤについて、上では好適な実施形態（例示であるように、そして限定されないように意図されている）について詳述しているが、上記に照らして、当業者が修正及び変形を実行することができることに留意する必要がある。それ故、同時提出の特許請求の範囲に記載されている本発明の範囲及び主旨から逸脱することなく、本発明の特定の実施形態において変形を実行することを、理解することができる。
【図面の簡単な説明】
【００２５】
【図１】本発明に従った例示としての電子ＤＶＤレンタルモデルの模式図である。
【図２】本発明に従ったＶＤｏＤのブロック図である。
【図１】
0005193999.tif 000002
【図２】
0005193999.tif 000003